(57)【要約】【課題】機能的、意匠的に優れた飾り蓋を提供する。【解決手段】内蓋１に、透明プラスチック製の外蓋２を一体に被せ付けた飾り蓋であり、内蓋１と凸レンズ状の外蓋２の各上壁１０・１８間に、シート状の装飾体３を装着する。内蓋１の内周壁９及び外蓋２の外周壁１７に、互いに密着嵌合する凹凸形状で構成された、外蓋２の空回りを阻止するストッパー部２０と、外蓋２の抜け外れを阻止する抜止部２１とを複数形成する。装飾体３は、弾性のある素材で構成し、内蓋１と外蓋２とを一体化したときに、装飾体３が厚み方向に圧縮されるようにする。【選択図】図１
0003125302.tif 000002
【実用新案登録請求の範囲】
【請求項１】
内周面にねじ突条（８）が形成された円筒状の内蓋（１）に、透明プラスチック製の外蓋（２）が一体に被せ付けられており、
内蓋（１）と外蓋（２）の各上壁（１０・１８）間に、図柄が描かれたシート状の装飾体（３）が装着されており、
外蓋（２）の上壁（１８）の上側が、凸レンズ状に中心部が膨出形成されていることを特徴とする飾り蓋。
【請求項２】
請求項１に記載の飾り蓋であって、
膨出形成された外蓋（２）の上壁（１８）の上側に、一群の凹凸からなる立体的文様（３０）が形成されていることを特徴とする飾り蓋。
【請求項３】
請求項１又は２に記載の飾り蓋であって、
内蓋（１）が、内周面にねじ突条（８）が形成された円筒状の内周壁（９）と、この内周壁（９）の上縁に連なる内上壁（１０）とを備えており、
外蓋（２）が、内蓋（１）の内周壁（９）に外接する円筒状の外周壁（１７）と、外周壁（１７）の上縁に連なる外上壁（１８）とを備えており、
内周壁（９）の外面及び外周壁（１７）の内面に、外蓋（２）の空回りを阻止するストッパー部（２０）と、外蓋（２）の抜け外れを阻止する抜止部（２１）とが、それぞれ複数形成されており、
ストッパー部（２０）及び抜止部（２１）が、互いに密着嵌合する凹凸形状で構成されていて、それぞれストッパー凸部（２２）及びストッパー凹部（２４）並びに抜止凸部（２５）及び抜止凹部（２６）とからなることを特徴とする飾り蓋。
【請求項４】
請求項３に記載の飾り蓋であって、
ストッパー凸部（２２）が、周壁（９・１７）の下端からねじ軸方向に沿って立ち上がり形成された角柱状の突起からなり、
ストッパー凹部（２４）が、周壁（９・１７）の下端からねじ軸方向に沿って立ち上がり形成された溝からなり、
抜止部（２１）が、ストッパー部（２０）の上端よりも下側で、周壁（９・１７）の下端よりも上側の位置の壁面に設けられており、
抜止凸部（２５）が、壁面から突出する突起からなり、ねじ軸方向の上下に、抜止凹部（２６）の嵌入を導く傾斜面（２８・２８）が、突端側から基端側に向かって下り傾斜状に形成されていることを特徴とする飾り蓋。
【請求項５】
請求項３又は請求項４のいずれかに記載の飾り蓋であって、
装飾体（３）が、弾性のある素材で肉厚に構成されており、
装飾体（３）を内上壁（１０）に載置した状態において、装飾体（３）の上面（１６）が、内蓋（１）の内上壁（１０）よりも上方に位置するように構成されており、
内蓋（１）と外蓋（２）とを一体化したときに、装飾体（３）が厚み方向に圧縮されるように設定されていることを特徴とする飾り蓋。
【考案の詳細な説明】
【技術分野】
【０００１】
本考案は、蓋上面が図柄で飾り付けられた飾り蓋に関し、高級感が求められる化粧瓶等に好適な飾り蓋に関する。
【背景技術】
【０００２】
この種の蓋は、例えば特許文献１及び特許文献２に開示されている。特許文献１の蓋は、内側に凹凸形状のアルミホイルを融着した透明樹脂を蓋上面に固定することにより、メタリック調の浮き彫り模様が現出するようになっている。しかし、蓋と一体成形された浮き彫り模様であるため、飽き易くて汎用性に欠ける点で難があった。
【０００３】
その点、特許文献２の蓋は、透明な外キャップと不透明な内キャップとを重合した二重構造体の蓋であり、蓋上面の内外キャップ間に装飾板を挟み入れているので、装飾板を取り替えて図柄を変えることができ、汎用性に優れている。内外キャップの装飾板を挟み入れる接合面は、凹レンズ状あるいは凸レンズ状に形成されていて、装飾板の模様が変化して見えるように工夫もされている。
【０００４】
【特許文献１】実開昭５７−１７１６２５号公報
【特許文献２】実公昭５４−３０１１９号公報（図２、図３）
【考案の開示】
【考案が解決しようとする課題】
【０００５】
しかし、特許文献２の蓋の内外キャップは、密嵌してあるだけなので、蓋の開閉操作によって内外のキャップ間で緩みが生じ易く、空回りして開閉操作ができなくなるおそれがある。製造に際しても、両者をぴったりと嵌合するのに高度な成形精度が要求されるため、それだけ製造コストが高く付く。見た目にも、蓋の上面が従来の蓋と同様に平面に形成されているため、高級感に欠けるという課題があった。
【０００６】
そこで本考案の目的は、機能的にも優れるうえ、見た目に高級感があって、汎用性にも富む飾り蓋を提供することにある。
【課題を解決するための手段】
【０００７】
本考案は、図１に示すように、内周面にねじ突条８が形成された円筒状の内蓋１に、透明プラスチック製の外蓋２が一体に被せ付けられた飾り蓋である。内蓋１と外蓋２の各上壁１０・１８間に、図柄が描かれたシート状の装飾体３が装着されており、外蓋２の上壁１８の上側が、凸レンズ状に中心部が膨出形成されていることを特徴とする。膨出形成された外蓋２の上壁１８の上側には、一群の凹凸からなる立体的文様３０を形成することができる。
【０００８】
具体的には、図２及び図３に示すように、内蓋１が、内周面にねじ突条８が形成された円筒状の内周壁９と、この内周壁９の上縁に連なる内上壁１０とを備えており、外蓋２が、内蓋１の内周壁９に外接する円筒状の外周壁１７と、外周壁１７の上縁に連なる外上壁１８とを備えている。内周壁９の外面及び外周壁１７の内面に、外蓋２の空回りを阻止するストッパー部２０と、外蓋２の抜け外れを阻止する抜止部２１とが、それぞれ複数形成されている。ストッパー部２０及び抜止部２１は、互いに密着嵌合する凹凸形状で構成されていて、それぞれストッパー凸部２２及びストッパー凹部２４、並びに抜止凸部２５及び抜止凹部２６とからなる。ここで、複数形成されている各ストッパー凸部２２及びストッパー凹部２４、各抜止凸部２５及び抜止凹部２６は、互いに密着嵌合するように形成されていればよく、内周壁９の外面及び外周壁１７の内面のいずれに凹凸形状が形成されているかは問わない。後述する本実施例のように、内蓋１側に全てのストッパー凸部２２と抜止凸部２５を形成してもよいし、その逆でもよく、また交互に凹凸形状が形成してあってもよい。
【０００９】
ストッパー凸部２２を、周壁９・１７の下端からねじ軸方向に沿って立ち上がり形成された角柱状の突起とし、ストッパー凹部２４を、周壁９・１７の下端からねじ軸方向に沿って立ち上がり形成された溝とする。抜止部２１は、ストッパー部２０の上端よりも下側で、周壁９・１７の下端よりも上側の位置の壁面に設ける。抜止凸部２５は、壁面から突出する突起とし、ねじ軸方向の上下に、抜止凹部２６の嵌入を導く傾斜面２８・２８を、突端側から基端側に向かって下り傾斜状に形成する。
【００１０】
装飾体３は、弾性のある素材で肉厚に構成する。装飾体３を内上壁１０に載置した状態において、装飾体３の上面１６が、内蓋１の内上壁１０よりも上方に位置するように構成し、内蓋１と外蓋２とを一体化したときに、装飾体３が厚み方向に圧縮されるように設定する。
【考案の効果】
【００１１】
内蓋１に透明プラスチック製の外蓋２を一体に被せ付け、その内蓋１と外蓋２の各上壁１０・１８間に、図柄が描かれたシート状の装飾体３を装着した二重構造の飾り蓋において、外蓋２の上壁１８の上側が、凸レンズ状に中心部が膨出形成されていると、見た目に手作り感のある高級な雰囲気を付与することができる。装飾体３を蓋の上方から見たときに、レンズ効果によって、図柄に変化を与えることができ、よりいっそう装飾性を向上させることができる。図柄の異なる装飾体３を取り替えて装着するだけで、様々な蓋のデザインを演出することができ、汎用性にも優れる。開封の際にも蓋が手に馴染んで開け易い。
【００１２】
膨出形成された外蓋２の上壁１８の上側に、例えば、図６に示すように、ガラス工芸品の切子のごとく、一群の凹凸からなる立体的文様３０を形成すれば、外観上さらに装飾性を向上させることができ、高級感を増すことができる。かかる形態の外蓋２の上壁１８を介して見える装飾体３の図柄も、さらに複雑に変化して興趣が増すことになる。
【００１３】
内周壁９の外面及び外周壁１７の内面に、互いに密着嵌合する凹凸形状で構成された、外蓋２の空回りを阻止するストッパー部２０と、外蓋２の抜け外れを阻止する抜止部２１とが、それぞれ複数形成されていると、仮に内蓋１と外蓋２とに成形上多少の精度誤差が生じても、外蓋２の空回り及び抜け外れを防止して、確実に内外の蓋１・２を一体化できる。しかも、接着剤等を使用しなくとも、内蓋１に外蓋２をパチンと嵌め入れるだけで一体化でき、生産面においても優れた作用効果を発揮することができる。
【００１４】
さらに、ストッパー凸部２２とストッパー凹部２４とが、それぞれ周壁９・１７の下端からねじ軸方向に沿って立ち上がり形成された角柱状の突起と溝からなり、抜止凸部２５がストッパー部２０の上端よりも下側で、周壁９・１７の下端より上側の位置の壁面から突出する突起からなり、抜止凸部２５に、これと密着嵌合する抜止凹部２６の嵌入を導く傾斜面２８が形成してあると、外蓋２と内蓋１とを簡単に一体化することができる。
【００１５】
例えば図３及び図５を用いて説明すると、外蓋２を内蓋１に被せ付ける際、外蓋２の外周壁１７を内蓋１の内周壁９に沿って嵌め入れると、通常は最初に内蓋１のストッパー凸部２２の上端と外蓋２の外周壁１７の下端とが突き当たる。突き当たった状態で両蓋１・２をねじ軸方向に適宜回転させて、ストッパー凸部２２とストッパー凹部２４との位置が合うと、ストッパー凸部２２にストッパー凹部２４が嵌まり込む。続いて、抜止凸部２５に抜止凹部２６が嵌合することとなるが、このとき、抜止凸部２５と抜止凹部２６の嵌合は、いわゆる無理入れとなるため、嵌め込み難い。しかし、抜止凸部２５の上下に突端側から基端側に向かって下り傾斜状の傾斜面２８を形成してあるので、この上側の傾斜面２８に導かれて抜止凹部２６が抜止凸部２５に乗り上がり、下側の傾斜面２８に導かれて滑り落ちるため、抜止凸部２５を抜止凹部２６にパチンと簡単に嵌め込むことができる。そして、いったんストッパー部２０と抜止部２１が嵌合すると、この両者の組み合わせによって外蓋２と内蓋１との径方向及び軸方向の動きが同時に規制されるため、内外の蓋１・２の一体化を強固に保持することができる。
【００１６】
弾性のある素材で肉厚に構成された装飾体３を用い、内上壁１０に載置した装飾体３の上面１６が内上壁１０よりも上方に位置するようにして、内蓋１と外蓋２とを一体化したときに装飾体３が厚み方向に圧縮されるように設定してあると、外蓋２と内蓋１との成形精度に多少の誤差があっても、装飾体３の弾性変形による反撥力とストッパー部２０及び抜止部２１との協働作用によって、内蓋１と外蓋２とのがたつきが抑制されて、内外の蓋１・２の一体化を強固に保持することができる。すなわち、ここでの装飾体３は、内外の蓋１・２の緩みを防止する緩衝体としても機能する。
【考案を実施するための最良の形態】
【００１７】
図１ないし図５に、本考案の飾り蓋の実施例を示す。飾り蓋は、例えば、化粧水や乳液などを収容する瓶容器Ｐなどに好適に使用される。これら瓶容器Ｐの蓋は、密封性等の蓋本来の機能だけでなく、いかに高級な雰囲気を醸し出すかが、重要な課題となっており、クリスタルガラス様の素材感を出すために、瓶口Ｎに螺合する内蓋１の上に、さらに透明な外蓋２を装着した二重構造の蓋が用いられることがある。本考案の飾り蓋も、かかる蓋構造を基本とするものであり、図１及び図２に示すように、内蓋１に外蓋２が一体に被せ付けられた二重構造になっている。内外の蓋１・２の各上壁１０・１８間には、装飾性の向上を図るべく、装飾体３が装着されており、内蓋１内には、パッキン５と瓶口Ｎの開口を封止する中栓６が装着されている。
【００１８】
内蓋１は、陶器の質感を付与するために乳白色に着色されたポリエチレン等のプラスチック製射出成形品であり、内周面に瓶口Ｎに螺合するねじ突条８が形成された円筒状の内周壁９と、この内周壁９の上縁に連なる内上壁１０とを備えている。内上壁１０の上側は、高級感を付与するために、内周壁９に連続する円筒状の周壁１３と、この周壁１３の内部に形成された格子状の隔壁１４とで高さが嵩上げされている（図２参照）。内上壁１０の上端面の内側には、装飾体３を受け容れて、位置決め保持する平底の溝部１５が一段低く形成されている。内蓋１の内部上方には、パッキン５と中栓６とが上下に重ね合わせた状態で嵌め込まれている。
【００１９】
外蓋２は、透明なガラス質感のあるアクリル等のプラスチック製射出成形品であり、内蓋１の内周壁９よりも僅かに大径で、内蓋１の内周壁９に外接する円筒状の外周壁１７と、この外周壁１７の上縁に連なって、内蓋１の内上壁１０の上側に配置される外上壁１８とを備えている。外上壁１８の上側は、凸レンズ状に中心部が膨出形成されていて、その周縁部は、外周壁１７よりも外側に張り出した状態に形成されている。
【００２０】
装飾体３は、不織布、発泡ポリエチレン等のプラスチック、クラフト紙、ゴムなどの弾性のある素材で肉厚に構成されていて、内蓋１の外径よりも小径の円形をしたシート状に形成されている。装飾体３の上面には、図示しないが模様、ロゴマーク、商標などの文字や図形等の図柄が印刷された印刷層が設けられている。
【００２１】
内外の蓋１・２を一体化するために、内周壁９の外面及び外周壁１７の内面に、外蓋２の空回りを阻止するストッパー部２０と、外蓋２の抜け外れを阻止する抜止部２１とが、それぞれ複数形成されている。ストッパー部２０及び抜止部２１は、それぞれストッパー凸部２２とストッパー凹部２４、及び抜止凸部２５と抜止凹部２６とで構成されていて、互いに密着嵌合する凹凸形状となっている。
【００２２】
詳しくは、図１及び図３に示すように、内蓋１の内周壁９の外面下方には、周方向に沿って一定間隔置きに、３個のストッパー凸部２２と３個の抜止凸部２５とが、交互に形成されている。そして、これらに対応して、外蓋２の外周壁１７の内面下方には、３個のストッパー凹部２４と３個の抜止凹部２６とが、交互に形成されている。ストッパー凸部２２は、内周壁９の下端縁からねじ軸方向に沿って立ち上がり形成された角柱状の突起からなり、それに対応するストッパー凹部２４は、外周壁１７の下端からねじ軸方向に沿って立ち上がり形成された溝からなる。
【００２３】
抜止部２１は、ストッパー部２０の上端よりも下側で、内周壁９あるいは外周壁１７の下端よりも上側の位置の壁面に設けられている。抜止凸部２５は、内周壁９の外面から突出する断面台形状の突起からなり、ねじ軸方向の上下に、無理入れする抜止凹部２６が嵌入し易いように、傾斜面２８が突端側から基端側に向かって下り傾斜状に形成されている。外蓋２の抜け外れを抑制するために、下側の傾斜面２８は、上側の傾斜面２８より傾斜の角度が大きくなっている。
【００２４】
外蓋２と内蓋１との成形精度に多少の誤差があっても、一体化した内蓋１と外蓋２とが、がたつくのを防止するために、装飾体３は、内外の蓋１・２の緩みを防止する緩衝体として機能するように設定されている。すなわち、図１及び図４に示すように、装飾体３を内蓋１の内上壁１０に形成された溝部１５に入れて載置したとき、装飾体３の上面１６が、内蓋１の内上壁１０よりも上方に位置するように構成されている。そして、内蓋１に外蓋２を被せ付けて一体化したときに、装飾体３が内蓋１と外蓋２とで挟み付けられて、厚み方向に圧縮されるように設定されている。例えば、図４において、装飾体３の無負荷時の厚み寸法Ｈに対し、内蓋１と外蓋２とで挟み付けたときには、Ｈよりも小さい厚み寸法ｈとなるようにするのである。こうすることで、一体化された内蓋１と外蓋２とには、常に装飾体３の弾性変形による反撥力が作用し、ストッパー部２０と抜止部２１との協働作用によって、成形誤差程度のがたつきであれば、効果的に内外の蓋の緩みを防止することができる。
【００２５】
かかる飾り蓋の組み付けは、例えば次のようにして行えばよい。まず、内蓋１の内上壁１０に形成された溝部１５に装飾体３を載置する。溝部１５にそのまま載置すれば簡単に位置決め保持できる。その状態で、上方から内蓋１に外蓋２を被せて、外蓋２の外周壁１７を内蓋１の内周壁９に沿って嵌め入れる。そうすると、通常はストッパー部２０の嵌合位置が一致しないので、内蓋１のストッパー凸部２２の上端と外蓋２の外周壁１７の下端とが突き当たる。突き当たった状態で両蓋１・２をねじ径方向に適宜回転させ、ストッパー凸部２２とストッパー凹部２４との位置を合わせてストッパー凸部２２にストッパー凹部２４を嵌め込めば、続いて、抜止凸部２５に抜止凹部２６をパチンと嵌合させることができ、外蓋２と内蓋１とを簡単かつ強固に一体化できる（図５参照）。このとき、装飾体３は、図４に示すごとく、厚み方向に圧縮された状態となっている。
【００２６】
図６は、外蓋２の別実施例を示している。そこでは、装飾性をさらに向上させるために、外蓋の外上壁１８の上側面に、一群の凹凸からなる立体的文様３０を形成した。例えば、図６の（ａ）では、外蓋の外上壁１８の上側面に、多数の小さな半球状の突起３０を形成した。図６の（ｂ）では、対角線で屈曲した菱形形状の構成単位が連続的に連なって構成されるダイヤカットの文様３０を形成した。外蓋の外上壁１８は、厚みを十分にとってあるので、機能面への影響を気にせず、切り込みを入れるなど自在に立体的デザインを施すことができ、これらに限らず、その他の幾何学的な立体的文様３０を形成してあってもよい。
【００２７】
内蓋１の内上壁１０は、必ずしも嵩上げする必要はなく、平板状の内上壁１０に直接装飾体３を載置するようにしてもよい。パッキン５や中栓６は必須ではなく、蓋の仕様に応じて適宜選択することができる。ストッパー部２０及び抜止部２１は、いずれも複数であればよく、２個あるいは４個以上であってもよい。また、必ずしも同数である必要もない。
【図面の簡単な説明】
【００２８】
【図１】飾り蓋の縦断面図である。
【図２】飾り蓋の構成を示す分解斜視図である。
【図３】図１のＡ−Ａ線から見た横断面図である。
【図４】装飾体の要部断面図である。
【図５】内蓋と外蓋の組み付けを説明するための要部断面図である。
【図６】外蓋の別実施例を示す要部断面図である。
【符号の説明】
【００２９】
１  内蓋
２  外蓋
３  装飾体
８  ねじ突条
９  内周壁
１０  内上壁
１７  外周壁
１８  外上壁
２０  ストッパー部
２１  抜止部
２２  ストッパー凸部
２４  ストッパー凹部
２５  抜止凸部
２６  抜止凹部
２８  傾斜面
【図１】
0003125302.tif 000003
【図２】
0003125302.tif 000004
【図３】
0003125302.tif 000005
【図４】
0003125302.tif 000006
【図５】
0003125302.tif 000007
【図６】
0003125302.tif 000008